(57)【要約】【課題】操作が簡単で使い勝手の良いカロリー計量スプーンを提供すること。【解決手段】使用者が把持可能な握り部１と、食品を掬い取り可能な受皿部２と、受皿部に設けられ前記握り部に接続するための接続部３と、握り部に設けられ受皿部の接続部と着脱可能に接続する接続受部４と、を備え、受皿部は、受皿部で掬い取られる食品の単位重量当たりのカロリー情報を記憶する情報記憶部５と、少なくとも情報記憶部の情報を送信する受皿部送受信部６と、を有し、握り部は、少なくとも受皿送受信部からの情報を受信する握り部送受信部９と、受皿部で掬い取られた食品の重量を測定する測定部１０と、測定部で測定された結果と握り部送受信部で受信した情報とに基づき食品のカロリーを算出する制御部１１と、制御部で算出された結果を表示する表示部１２と、を有している。【選択図】図１
2015078896.tif 000002
【特許請求の範囲】
【請求項１】
使用者が把持可能な握り部と、
食品を掬い取り可能な受皿部と、
前記受皿部に設けられ前記握り部に接続するための接続部と、
前記握り部に設けられ前記受皿部の接続部と着脱可能に接続する接続受部と、を備え、
前記受皿部は、
前記受皿部で掬い取られる食品の単位重量当たりのカロリー情報を記憶する情報記憶部と、
少なくとも前記情報記憶部の情報を送信する受皿部送受信部と、を有し、
前記握り部は、
少なくとも前記受皿部送受信部からの情報を受信する握り部送受信部と、
前記受皿部で掬い取られた食品の重量を測定する測定部と、
前記測定部で測定された結果と前記握り部送受信部で受信した情報とに基づき前記食品のカロリーを算出する制御部と、
前記制御部で算出された結果を表示する表示部と、
を有したことを特徴とするカロリー計量スプーン。
【請求項２】
使用者が把持可能な握り部と、
食品を掬い取り可能な受皿部と、
前記受皿部に設けられ前記握り部に接続するための接続部と、
前記握り部に設けられ前記受皿部の接続部と着脱可能に接続する接続受部と、を備え、
前記受皿部は、
前記受皿部で掬い取られる食品の単位重量当たりのカロリー情報を記憶する情報記憶部と、
前記受皿部で掬い取られた食品の重量を測定する測定部と、
少なくとも前記情報記憶部の情報及び前記測定部の測定結果情報を送信する受皿部送受信部と、を有し、
前記握り部は、
少なくとも前記受皿部送受信部からの情報を受信する握り部送受信部と、
前記握り部送受信部で受信した情報に基づき前記食品のカロリーを算出する制御部と、
前記制御部で算出された結果を表示する表示部と、
を有したことを特徴とするカロリー計量スプーン。
【請求項３】
前記握り部は、前記表示部に前記食品の重量を表示するよう前記制御部に指示する表示単位変更部をさらに有することを特徴とする請求項１または請求項２のいずれかに記載のカロリー計量スプーン。
【請求項４】
前記受皿部の情報記憶部は、前記受皿部で掬い取り可能な複数の食品についてそれぞれの単位重量当たりのカロリー情報を記憶し、
前記握り部は、前記受皿部で掬い取る食品に応じて前記情報記憶部の単位重量当たりのカロリー情報を選択するメニュー選択部を有することを特徴とする請求項１乃至請求項３のいずれか１つに記載のカロリー計量スプーン。
【請求項５】
前記情報記憶部は、前記表示部で表示する前記制御部での算出結果の単位情報を記憶し、前記受皿部送受信部は、食品の重量単位当たりのカロリー情報の送信時に合わせて送信されることを特徴とする請求項３または請求項４のいずれかに記載のカロリー計量スプーン。
【発明の詳細な説明】
【技術分野】
【０００１】
本発明は、食品のカロリーまたは重量を計量表示するカロリー計量スプーンに関する。
【背景技術】
【０００２】
近年、消費者の生活習慣病から糖尿病などのリスクが高まっており、日常生活における健康意識が向上している。糖尿病などでは１日のカロリー摂取量を制限する食事療法が一般的であり、日常において使い勝手の良い簡単なカロリー計量器が求められている。
【０００３】
一方で、食品の重量を測定するこの種のハンディ計量器としては、重量センサで食品の重量を測定し、重量や容量を表示する電子計量スプーンが開発されている（例えば、特許文献１参照）。
【０００４】
またカロリーの測定器としては、重量センサで米飯の重量変化を測定し、その重量変化量に米飯の単位重量あたりのカロリー量を乗じて、カロリーを付して表示する炊飯器が開発されている（例えば、特許文献２参照）。
【先行技術文献】
【特許文献】
【０００５】
【特許文献１】特開２０００−１４６６６４号公報
【特許文献２】国際公開第２０１２／１５０６４８号
【発明の概要】
【発明が解決しようとする課題】
【０００６】
しかしながら、上記従来の技術を用いると、食品毎に単位重量あたりのカロリー量が異なるため、測定対象の食品をユーザーが選択する必要があった。しかしながら、計量スプーンなど小型ハンディ方式では操作性が悪く使い勝手が悪いといった課題を有している。
【０００７】
本発明は、上記課題を鑑みてなされたものであって、ユーザーが操作し易く、且つ簡単に食品のカロリーを知ることが出来るカロリー計量スプーンを提供することを目的とする。
【課題を解決するための手段】
【０００８】
前記従来の課題を解決するために、本発明のカロリー計量スプーンは、使用者が把持可能な握り部と、食品を掬い取り可能な受皿部と、前記受皿部に設けられ前記握り部に接続するための接続部と、前記握り部に設けられ前記受皿部の接続部と着脱可能に接続する接続受部と、を備え、前記受皿部は、前記受皿部で掬い取られる食品の単位重量当たりのカロリー情報を記憶する情報記憶部と、少なくとも前記情報記憶部の情報を送信する受皿部送受信部と、を有し、前記握り部は、少なくとも前記受皿部送受信部からの情報を受信する握り部送受信部と、前記受皿部で掬い取られた食品の重量を測定する測定部と、前記測定部で測定された結果と前記握り部送受信部で受信した情報とに基づき前記食品のカロリーを算出する制御部と、前記制御部で算出された結果を表示する表示部と、を有する。
【０００９】
これによって、ユーザーが操作し易く、且つ簡単に食品のカロリーを知ることが出来るカロリー計量スプーンを得ることが出来る。
【発明の効果】
【００１０】
本発明により、ユーザーが操作し易く、且つ簡単に食品のカロリーを知ることが出来る
カロリー計量スプーンを提供することができる。
【図面の簡単な説明】
【００１１】
【図１】本発明の実施の形態１におけるカロリー計量スプーンの概観斜視図
【図２】本発明の実施の形態１におけるカロリー計量スプーンの要部断面図
【図３】本発明の実施の形態１におけるカロリー計量スプーンのブロック図
【図４】本発明の実施の形態１におけるカロリー計量スプーンの情報記憶部の記憶内容を示す模式図
【図５】本発明の実施の形態１におけるカロリー計量スプーンの表示部の表示内容を示す模式図
【図６】本発明の実施の形態１におけるカロリー計量スプーンの測定部の構成を示す回路図
【図７】本発明の実施の形態１におけるカロリー計量スプーンの測定部と重量の関係を示す特性図
【図８】本発明の実施の形態１におけるカロリー計量スプーンの受皿部を示す斜視図
【図９】本発明の実施の形態１におけるカロリー計量スプーンの受皿部の情報記憶部の記憶内容を示す模式図
【図１０】本発明の実施の形態１におけるカロリー計量スプーンの受皿部の情報記憶部の記憶内容を示す模式図
【図１１】本発明の実施の形態１におけるカロリー計量スプーンの制御部の制御シーケンスを示す流れ図
【図１２】本発明の実施の形態２におけるカロリー計量スプーンの要部を示す要部模式図
【図１３】本発明の実施の形態３におけるカロリー計量スプーンと炊飯器を示す模式図
【発明を実施するための形態】
【００１２】
第１の発明は、使用者が把持可能な握り部と、食品を掬い取り可能な受皿部と、前記受皿部に設けられ前記握り部に接続するための接続部と、前記握り部に設けられ前記受皿部の接続部と着脱可能に接続する接続受部と、を備え、前記受皿部は、前記受皿部で掬い取られる食品の単位重量当たりのカロリー情報を記憶する情報記憶部と、少なくとも前記情報記憶部の情報を送信する受皿部送受信部と、を有し、前記握り部は、少なくとも前記受皿部送受信部からの情報を受信する握り部送受信部と、前記受皿部で掬い取られた食品の重量を測定する測定部と、前記測定部で測定された結果と前記握り部送受信部で受信した情報とに基づき前記食品のカロリーを算出する制御部と、前記制御部で算出された結果を表示する表示部と、を有している。これにより、情報記憶部に記憶された受皿部で掬い取られる食品の単位重量当たりのカロリー情報と、測定部で測定された受皿部で掬い取られた食品の重量とにより食品のカロリーを算出し、表示することができる。
【００１３】
第２の発明は、使用者が把持可能な握り部と、食品を掬い取り可能な受皿部と、前記受皿部に設けられ前記握り部に接続するための接続部と、前記握り部に設けられ前記受皿部の接続部と着脱可能に接続する接続受部と、を備え、前記受皿部は、前記受皿部で掬い取られる食品の単位重量当たりのカロリー情報を記憶する情報記憶部と、前記受皿部で掬い取られた食品の重量を測定する測定部と、少なくとも前記情報記憶部の情報及び前記測定部の測定結果情報を送信する受皿部送受信部と、を有し、前記握り部は、少なくとも前記受皿部送受信部からの情報を受信する握り部送受信部と、前記握り部送受信部で受信した情報に基づき前記食品のカロリーを算出する制御部と、前記制御部で算出された結果を表示する表示部と、を有している。これにより、情報記憶部に記憶された受皿部で掬い取られる食品の単位重量当たりのカロリー情報と、測定部で測定された受皿部で掬い取られた食品の重量とにより食品のカロリーを算出し、表示することができる。
【００１４】
第３の発明は、特に、第１または第２の発明において、前記握り部は、前記表示部に前記食品の重量を表示するよう前記制御部に指示する表示単位変更部をさらに有している。
【００１５】
第４の発明は、特に、第１〜第３のいずれか１つの発明において、前記受皿部の情報記憶部は、前記受皿部で掬い取り可能な複数の食品についてそれぞれの単位重量当たりのカロリー情報を記憶し、前記握り部は、前記受皿部で掬い取る食品に応じて前記情報記憶部の単位重量当たりのカロリー情報を選択するメニュー選択部を有している。
【００１６】
第５の発明は、特に、第３または第４の発明において、前記情報記憶部は、前記表示部で表示する前記制御部での算出結果の単位情報を記憶し、前記受皿部送受信部は、食品の重量単位当たりのカロリー情報の送信時に合わせて送信されるものである。
【００１７】
以下、本発明の実施の形態について、図面を参照しながら説明する。なお、この実施の形態によって本発明が限定されるものではなく、同様の分野における類似の用語または類似の描写を用いて表現することが可能であることは、当業者において容易に理解されるであろう。
【００１８】
（実施の形態１）
図１は、本発明の実施の形態１におけるカロリー計量スプーンの概観斜視図、図２は図１に示すＡ−Ａ’における要部断面図、図３は、本発明の実施の形態１におけるカロリー計量スプーンのブロック図、図４は、本発明の実施の形態１におけるカロリー計量スプーンの情報記憶部の記憶内容を示す模式図、図５は、本発明の実施の形態１におけるカロリー計量スプーンの表示部の表示内容を示す模式図、図６は、本発明の実施の形態１におけるカロリー計量スプーンの測定部の構成を示す回路図、図７は、本発明の実施の形態１におけるカロリー計量スプーンの測定部と重量の関係を示す特性図、図８は、本発明の実施の形態１におけるカロリー計量スプーンの受皿部を示す斜視図、図９は、本発明の実施の形態１におけるカロリー計量スプーンの受皿部の情報記憶部の記憶内容を示す模式図、図１０は、本発明の実施の形態１におけるカロリー計量スプーンの受皿部の情報記憶部の記憶内容を示す模式図、図１１は、本発明の実施の形態１におけるカロリー計量スプーンの制御部の制御シーケンスを示す流れ図である。
【００１９】
図１ないし図３において、本実施の形態１のカロリー計量スプーンは、使用者が把持可能な握り部１と、食品を掬い取り可能な受皿部２と、受皿部２に設けられ握り部１に接続するための接続部３と、握り部１に設けられ受皿部２の接続部３と着脱可能に接続する接続受部４と、を備えている。受皿部２は、受皿部２で掬い取られる食品の単位重量当たりのカロリー情報を記憶する情報記憶部５と、少なくとも情報記憶部５の情報を送信する受皿部送受信部６と、握り部１に設けられた握り部送電部７からの電力を受電する受皿部受電部８とを有している。握り部１は、少なくとも受皿部送受信部６からの情報を受信する握り部送受信部９と、受皿部２で掬い取られた食品の重量を測定する測定部１０と、測定部１０で測定された結果と握り部送受信部９で受信した情報とに基づき前記食品のカロリーを算出する制御部１１と、制御部１１で算出された結果を表示する表示部１２と、操作部１３とを具備する。操作部１３には、機能の異なる４つのスイッチを有する。具体的には、電源をＯＮ／ＯＦＦする電源スイッチ１４と、積算とメニュー切替えを行うスイッチ１５と、ゼロ点補正と表示をＨＯＬＤするスイッチ１６と、表示単位切替えを行うスイッチ１７とを具備する。本実施の形態では電源部１８に単３乾電池２本を用いているが、握り部１にソーラーパネルを設けるなど異なる電源を用いてもなんら問題ない。
【００２０】
以上のように構成された本実施の形態のカロリー計量スプーンについて、以下その動作を詳細に説明する。
ユーザーにより電源スイッチ１４が押下されると電源部１８が制御部１１と接続される。制御部１１は電源スイッチ１４が開放されるよりも早く、半導体スイッチ１９をＯＮすることで、電源ＯＮ状態をラッチ（保持）することが可能となる。この構成により未使用時に電源部１８が回路と完全に遮断されて消耗しないため、電池交換などの手間を軽減することが可能である。また測定部１０には制御部１１を介して電源を供給する。
【００２１】
その後、制御部１１は初期化処理を行う。初期化処理において、制御部１１は握り部送電部７から受皿部受電部８に非接触で電力を供給し、受皿部送受信部６と情報記憶部５に電源を供給する。さらに制御部１１は握り部送受信部９から受皿部送受信部６へ情報送信要求を非接触で送信する。受皿部送受信部６は図４に示す情報記憶部５の情報を読み取り、対応するメニュー名称、単位重量あたりのカロリー量、歪みゲージの単位出力電圧あたりの重量ｇ（グラム）、初期表示単位とＮｏを握り部送受信部９へ送信し、制御部１１は握り部送受信部９が受信した情報を記憶する。さらに制御部１１は現在の受皿部２の積載量をゼロと見なして、ゼロ点調整を行い、表示部１２にゼロを表示する。表示部１２の表示内容を図５に示すように、メニュー名称２０及び表示単位２１は上述したように情報記憶部５から読み出した情報のＮｏ．１をデフォルトで表示する。もちろん、制御部１１に不揮発性メモリを搭載して前回使用したメニューＮｏをデフォルトにしても良いが、本実施の形態では安価な構成とるすため、Ｎｏ．１をデフォルト表示に採用している。情報記憶部５に記憶する際に使用頻度の高いメニューのＮｏを若い番号に設定することでさらに使い勝手を向上させることが可能である。表示部１２には食品の重量またはカロリーを示す数字２２、動作状態（積算モードを表す「Σ」、表示固定モードを表す「ＨＯＬＤ」）２３と、電池残量を表す記号２４が表示されている。
【００２２】
測定部１０について説明する。図２に示すように接続受部４の表面に歪みゲージ２５が４枚設置されており、図６に示すように歪みゲージ２５は抵抗Ｒで表現され、ブリッジ回路を形成し、その両端に制御部１１から電圧が印加され、他方の端部から検知電圧Ｖｇを測定する。このように歪みゲージ２５を４枚用いてブリッジ回路にすることで検知電圧Ｖｇを高め、温度による補正を不要にすることが可能である。次に接続受部４に接続部３が差し込まれた状態で、受皿部２に食品が掬い上げられると接続受部４及び歪みゲージ２５に応力が加わり変形する。制御部１１は歪みゲージ２５の変位量を検知電圧Ｖｇとして検出することで、受皿部２に掬い上げられた食品の重量を測定することが可能となる。本実施の形態における測定部１０は安価な歪みゲージ２５から成るが、その他にロードセル、圧電センサなど変位または加重を検出する素子で構成しても良い。
【００２３】
図７に検知電圧Ｖｇと重量の関係を示しており、検知電圧Ｖｇと重量の関係は線形である。この傾きが情報記憶部５に記憶される歪みゲージの単位出力電圧あたりのｇ（グラム）である。
【００２４】
上述したゼロ点調整について詳細説明する。
図７に示す初期化ポイントＣ１で初期化時またはゼロ点調整ボタンが長押しされると、制御部１１は現在の検知電圧Ａ１を記憶する。そして重量Ｂ１をゼロとして認識する。その後、受皿部２に食品が積載されて測定ポイントＣ２になった場合、制御部１１は検知電圧Ａ２−Ａ１、すなわち測定重量は、
Ｂ２−Ｂ１      数式（１）
として表示部１２に表示する。表示単位がカロリーの場合は、情報記憶部５の情報に基づいて、単位重量あたりのカロリー量を検知重量Ｂ２−Ｂ１に乗じた値
（Ｂ２−Ｂ１）×ｋｃａｌ／ｇ      数式（２）
を表示部１２に表示する。このように算出することにより、本実施の形態におけるカロリー計量スプーンは受皿部２に積載された食品の重量、カロリーを算出することが可能となる。もちろん重量として表示することができるのは言うまでもない。
【００２５】
表示単位切替えを行うスイッチ１７を押下される度に制御部１１は上述した数式（１）と数式（２）を切り替えて算出し、表示部１２の表示を更新する。このようにすることでユーザーの意向により重量（グラム、ｇ）およびカロリー（ｃａｌ、ｋｃａｌ）を簡単に切り替えることが可能となり、使い勝手の良いカロリー計量スプーンを提供することができる。
【００２６】
積算とメニュー切替えを行うスイッチ１５を長押しすると、制御部１１はメニュー切替えを行う。表示部１２のメニュー名称２０を点滅させ、スイッチ１５を短く押下する度にメニューＮｏを１→２→３→・・・→１と輪番に切り替える。このとき表示するメニューＮｏおよび名称は、初期化時に情報記憶部５から読み込んだ情報を用いて制御部１１が表示する。ユーザーの意向にあったメニューが表示されている状態でスイッチ１５を長押しするとメニュー確定する。このように受皿部２の形状により、掬い取られる食品が決まり、それらの情報が受皿部２の情報記憶部５に記憶されていることにより、ユーザーは必要最低限のメニュー郡から意向に沿ったメニューを簡単に選択することが可能となり、使い勝手の良い計量スプーンを提供することが可能となる。
【００２７】
積算とメニュー切替えを行うスイッチ１５を短く押下すると、Σモードに移行する。Σモードは、受皿部２がしゃもじ形状の場合などに炊飯器から茶碗に複数回にわたって米飯を移動させるような際に用いる。１回目の米飯の重量またはカロリーが表示されたらスイッチ１５を短く押下することにより表示されている重量またはカロリーＺ１を記憶し、制御部１１は表示部１２にＺ１＋現在の重量またはカロリー量の加算値を表示する。１回目の米飯を茶碗に入れて、２回目の米飯（重量またはカロリー量Ｚ２とする）が受皿部２に積載されると、制御部１１は表示部にＺ１＋Ｚ２の加算値を表示する。このようにすることでユーザーは１回目の重量またはカロリー量を記憶する必要がなく、複数回にわたって炊飯器から茶碗に入れても、茶碗に入れられた米飯の重量またはカロリー量を簡単にユーザーにお知らせすることが可能となり、簡単で使い勝手の良いカロリー計量スプーンを提供することが可能となる。
【００２８】
図８には様々な形状の受皿部２を示す。（ａ）は米飯メニューに対応するしゃもじ、（ｂ）は麺類メニューに対応する麺杓子、（ｃ）は味噌汁など汁メニューに対応する玉杓子、（ｄ）は調味料などに対応するスプーン形状である。複数の受皿部２それぞれで掬い上げられる食品が決まり、測定したい食品に適切な形状の受皿部２を接続受部４に接続することで、ユーザーは限られたメニューから意向に沿ったメニューを簡単に選択することができるようになり、使い勝手の良いカロリー計量スプーンを提供することが可能となる。
【００２９】
図９と図１０に、本発明の実施の形態１におけるカロリー計量スプーンの受皿部の情報記憶部の記憶内容を示す。図１０（ｂ）に示すように、受皿部２がスプーン形状の場合は、調味料などグラム（ｇ）で測定する頻度が高いため、初期表示単位はｇとしている。このように受皿部２の形状により掬い上げられる食品に適した初期表示単位を予め情報記憶部５に記憶させておくことにより、使用者のボタン操作回数を減らすことが可能となり、使い勝手を向上させることが可能である。なお、図１１に上述した制御部１１の動作シーケンスを示す。
【００３０】
（実施の形態２）
図１２は、本発明の実施の形態２におけるカロリー計量スプーンの要部を示す要部模式図である。本実地の形態におけるカロリー計量スプーンは、図１２に示すように実施の形態１の歪みゲージ２５を受皿部２の樹脂内部に配置し、受皿部２と接続受部４に防水コネクタ２６を設けている。歪みゲージ２５は空間の上下面にそれぞれ２個ずつ配置される。すなわち、制御部１１は防水コネクタ２６を介して情報記憶部５の情報を読み取り、電源
供給を行うため、実施の形態１において説明した受皿部送受信部６、握り部送電部７、受皿部受電部８、握り部送受信部９は不要となる。なお、実施の形態１に示すように非接触での接続としてもなんら問題ない。
【００３１】
このように受皿部２の樹脂内部に歪みゲージ２５を配置することによって、もっとも歪み量の大きい受皿部２で測定することが可能となり、少量の食品も正確に測ることが可能となる。
【００３２】
また、受皿部２の形状により測定対象となる食品、すなわち重量が決まることから、受皿部２それぞれに適した歪みゲージを選定することが可能となる。具体的には受皿部２がしゃもじ形状（図９（ａ））で測定対象となる米飯類はかき混ぜ時の耐強度が求められるため、高歪み耐量のゲージを用いる。スプーン形状（図１０の（ｂ））では少量の食品しか測定しないため、低歪み耐量のゲージを用いて測定精度を向上させることが可能となり、高い信頼性と高精度のカロリー計量スプーンを提供することが可能となる。またそれぞれの食材に適した受皿部２の材料があり、例えば図９の（ａ）に示すしゃもじはジャー炊飯器の釜を傷つけないように樹脂であることが望ましく、図１０の（ａ）に示す玉杓子では温度の高い食品を測定するため耐熱性のある金属であることが望ましい。受皿部２の材料に応じて、熱膨張係数が異なるため、その材質に適した歪みゲージ２５を受皿部２毎に個別に選定することが可能となり、歪みゲージ２５の温度依存特性による誤差を軽減し、歪みゲージ２５に過剰な応力がかかるなどの故障を抑制することが可能となる。
【００３３】
（実施の形態３）
図１３は、本発明の実施の形態３におけるカロリー計量スプーンと炊飯器を示す模式図である。本実施の形態におけるカロリー計量スプーンは、受皿部２が図９の（ａ）に示すしゃもじ形状の場合において、図１３に示すように、炊飯器に情報記憶部５と、情報記憶部５の情報を握り部送受信部９に送信する炊飯器送受信部２７を備え、制御部１１は握り部送受信部９を介して炊飯器の情報記憶部５の情報と調理メニュー情報を読み取ることが可能となり、調理メニューに応じたメニュー名称、単位重量あたりのカロリー量、歪みゲージの単位出力電圧あたりのｇ（グラム）、表示単位から、上述したように食品（米飯）の重量またはカロリーを演算して表示するものである。また炊飯器に備えられた情報記憶部５と炊飯器送受信部２７は炊飯器より電源を供給されるため、実施の形態１のように握り部送電部７、受皿部受電部８は不要となる。
【００３４】
このように構成することにより、ユーザーはカロリー計量スプーンからメニューを選択する手間がなくなり、使い勝手を飛躍的に向上させることが可能である。
【産業上の利用可能性】
【００３５】
本発明にかかるカロリー計量スプーンは、近年の健康志向やダイエット志向に対して、使い勝手が良く簡単に食品の重量又はカロリー量を測定、報知することができる。また、複数形状の受皿部と対応する食品を自動でメニュー対応することで、さらに使い勝手を向上させることができるだけでなく、受皿部のみ追加で購入すれば複数の食品に対応することができるため、ユーザーにとって使いやすく、簡単で安価な機器を提供することが可能である。
【符号の説明】
【００３６】
１    握り部
２    受皿部
３    接続部
４    接続受部
５    情報記憶部
６    受皿部送受信部
７    握り部送電部
８    受皿部受電部
９    握り部送受信部
１０  測定部
１１  制御部
１２  表示部
１３  操作部
２５  歪みゲージ
【図１】
2015078896.tif 000003
【図２】
2015078896.tif 000004
【図３】
2015078896.tif 000005
【図４】
2015078896.tif 000006
【図５】
2015078896.tif 000007
【図６】
2015078896.tif 000008
【図７】
2015078896.tif 000009
【図８】
2015078896.tif 000010
【図９】
2015078896.tif 000011
【図１０】
2015078896.tif 000012
【図１１】
2015078896.tif 000013
【図１２】
2015078896.tif 000014
【図１３】
2015078896.tif 000015